【事件の表示】
　特許第２８８００８７号「刈払機」の請求項１ないし請求項４に係る特許に対する特許異議の申立てについて、次のとおり決定する。
【結　論】
　訂正を認める。
　特許第２８８００８７号の請求項１に係る特許を維持する。
【理　由】
１．手続の経緯
　特許第２８８００８７号の請求項１、請求項２、請求項３および請求項４に係る発明は、平成６年９月２７日に特許出願され、平成１１年１月２９日に設定登録がなされ、その後、特許異議申立人富士ロビン株式会社および株式会社共立より特許異議の申立てがなされ、取消理由通知がなされ、その指定期間内である平成１２年５月１２日に訂正請求がなされたものである。
２．訂正の適否についての判断
（１）訂正の要旨
訂正事項ａ
　特許請求の範囲を以下のとおり訂正する。
「【請求項１】パイプシャフトの一端にエンジンが取り付けられ、他端に刈刃ユニットが取り付けられ、前記刈刃ユニットは前記パイプシャフト内に設けられた回転軸を介して前記エンジンによって駆動され、前記パイプシャフトの所定部位には取付具を介してこのパイプシャフトと直交する方向にハンドルが取り付けられる刈払機において、前記パイプシャフトをカーボンファイバで形成すると共に、前記取付具の前記カーボンファイバ製のパイプシャフトへの取付部に、前記取付具の取付長よりも全長が長い補強スペーサを取り付けて前記パイプシャフトを覆い、この補強スペーサの上から前記取付具を介して前記ハンドルを取り付け、前記補強スペーサが小判型の板状体をその幅方向に前記パイプシャフトの曲率で湾曲させて形成したものであり、少なくとも２枚の小判型スペーサを隣接させて前記取付具の前記パイプシャフトへの取付部位を包囲したことを特徴とする刈払機。」
訂正事項ｂ
　特許明細書の段落番号【０００２】、【０００５】を以下のとおり訂正する。
「【０００２】
　【従来の技術】
　従来、草、芝等を刈払いする際に使用される刈払機９は、図４（ａ）に示すように、アルミニウム等の金属製のパイプシャフト１（以後アウタパイプ１という）の一端にエンジン２が取り付けられ、このエンジン２に駆動された回転する回転軸（インナシャフト）がアウタパイプ１の中を通って他端に取り付けられた刈刃ユニット３の回転刃３１を回転させるようになっている。そして、この刈払機９には、アウタパイプ１の中間の所定部分に取付具であるハンドルブラケット４を介してハンドル５が取り付けられており、作業者はこのハンドル５の端部を両手で保持して草刈り等の作業を行うようになっている。図４（ａ）に示す例ではハンドル５はアウタパイプ１に対して直交する方向に両側に突出して設けられており、このハンドル５は途中で上方に曲げられて持ちやすい形状となっている。
　【０００５】
　即ち、図４（ｂ）に示すように、ハンドルブラケット４のアウタパイプ１への接触端部（角部）において発生したエンジン２や回転刃３１の振動による応力により、アウタパイプ１のハンドルブラケット４との境界部分に、符号Ｃで示す亀裂が発生し、アウタパイプ１のこの部分が弱くなって、刈払い作業中にカーボンファイバ製のアウタパイプ１のこの亀裂部分が折れ易くなる恐れがあった。
訂正事項ｃ
　特許明細書の以下の段落番号の記載を削除する。
　【０００９】，【００１０】，【００１２】，【００２６】，【００２７】，【００２８】，【００２９】
訂正事項ｄ
　【図面の簡単な説明】の記載を以下のとおり訂正する。
「【図面の簡単な説明】
　【図１】
（ａ）は本発明の刈払機の第１の形態における−実施例の構成を示す組立斜視図、
（ｂ）は（ａ）で使用する小判型スペーサの展開図である。
　【図２】
（ａ）は図１（ａ）に示した刈払機を組み立てた状態の取付具（ハンドルブラケット）部の平面図、（ｂ）は（ａ）のＢ−Ｂ線における断面図である。
　【図３】
（ａ）は本発明の刈払機の第１の形態における別の実施例の構成を説明する部分断面図で、補強スペーサの別の取り付け方を説明する図、（ｂ）は（ａ）のように補強スベーサを取り付けた場合の図２（ｂ）と同じ部位の断面図である。
　【図４】
（ａ）は従来の刈払機の構成を示す斜視図、（ｂ）は従来の刈払機の問題点を説明する（ａ）の部分拡大斜視図である。」
訂正事項ｅ
「図２の上方の図中（ａ）の符号を追加記載した図２に変更する。
　請求項３と４とを削除したため、当該請求項に係る図４を削除する。
　図４を削除したため、図５を繰上げ次の図４に変更する。」
（２）訂正の目的の適否、新規事項の有無及び拡張・変更の存否
訂正事項ａについて
　訂正事項ａは、特許明細書の請求項１と請求項２を併合し、請求項３および請求項４を削除するものであり、特許請求の範囲の減縮を目的とするものである。
訂正事項ｂについて
　訂正事項ｂ乃至訂正事項ｅは、訂正事項ａによる訂正に伴って発明の詳細な説明、図面の簡単な説明および図面を訂正しようとするものであり、明りょうでない記載の釈明を目的とするものである。
（３）独立特許要件の判断
　訂正請求による訂正明細書の請求項１に係る発明は、訂正後の特許請求の範囲の請求項１に記載された事項により特定される次のとおりのものと認める。
「【請求項１】パイプシャフトの一端にエンジンが取り付けられ、他端に刈刃ユニットが取り付けられ、前記刈刃ユニットは前記パイプシャフト内に設けられた回転軸を介して前記エンジンによって駆動され、前記パイプシャフトの所定部位には取付具を介してこのパイプシャフトと直交する方向にハンドルが取り付けられる刈払機において、前記パイプシャフトをカーボンファイバで形成すると共に、前記取付具の前記カーボンファイバ製のパイプシャフトへの取付部に、前記取付具の取付長よりも全長が長い補強スペーサを取り付けて前記パイプシャフトを覆い、この補強スペーサの上から前記取付具を介して前記ハンドルを取り付け、前記補強スペーサが小判型の板状体をその幅方向に前記パイプシャフトの曲率で湾曲させて形成したものであり、少なくとも２枚の小判型スペーサを隣接させて前記取付具の前記パイプシャフトへの取付部位を包囲したことを特徴とする刈払機。」（以下、「本件発明」という。）
（引用例）
　当審が通知した取消理由で引用した引用例には、それぞれ以下のとおり記載されている。
引用例１：実公平３−４３９３９号公報
「操作管として使用される繊維強化樹脂パイプは、炭素繊維強化樹脂、・・・強化樹脂などを使用される。」（公報第２頁第３欄１８行〜同欄２１行）と記載され、「第１図は、本考案が適用される携帯式動力刈払機１の全体斜視図である。操作管２の基端部にはエンジン３が連結され、先端部には回転作業体としての回転刃４を支持するギアハウジング５が連結されている。そしてこの操作管２の中間部には、作業者が両手で把持して操作管２を左右に振回操作するためのグリップ６を両端部に備える略Ｕ字状をしたハンドル杆７がクランパ８を介して取付けられている。」（公報第３頁第５欄２行〜同欄１０行）と記載されている。
引用例２：実願昭５５−１７２２８号（実開昭５６−１２０４４９号）の全文明細書および図面
「図において、１は刈払機を示すものである。・・・１３は円杆３をエンジン９付近に設けた握り部、１５は円杆３の中間位置に防振装置１７を介して支持されたハンドルで、」（公報第２頁１４行〜同頁２０行）と記載されている。
（対比・判断）
  本件発明と、上記引用例１および引用例２にそれぞれ記載された発明とを対比すると、これらの引用例１および引用例２に記載の発明には、本件発明の特定事項である「補強スペーサの上から前記取付具を介して前記ハンドルを取り付け、前記補強スペーサが小判型の板状体をその幅方向に前記パイプシャフトの曲率で湾曲させて形成したものであり、少なくとも２枚の小判型スペーサを隣接させて前記取付具の前記パイプシャフトへの取付部位を包囲した」の構成を備えておらず、また、前記構成を示唆する記載も認められない。
　さらに、上記引用例１および引用例２に記載された記載された発明を寄せ集めたとしても、当業者が前記構成を容易に想到することができないものと認める。
　本件発明は、前記構成を備えることにより明細書に記載された「本発明によれば、カーボンファイバ製のパイプシャフト（アウタパイプ）を使用した刈払機において、長期間の使用によっても、カーボンファイバ製のパイプシャフト（アウタパイプ）が取付具（ハンドルブラケット）の取付部で折れる恐れがなく、刈払機の信頼性、耐久性が向上するとう効果がある。」という顕著な効果を奏するものであるから、本件発明は、上記引用例１および引用例２記載の発明に基づいて当業者が容易に発明をすることができないものと認める。
　以上のとおりであるから、本件発明は、特許出願の際独立して特許を受けることができるものと認める。
（４）むすび
　以上のとおりであるから、上記訂正は特許法第１２０条の４第２項及び第３項において準用する特許法第１２６条第２−４項の規定に適合するので、当該訂正を認める。
３．特許異議申立てについての判断
　本件発明は、訂正明細書の請求項１に記載された事項により特定されるとおりのものである（２．（３）を参照）。
異議申立ての理由の概要
ア．異議申立人富士ロビン株式会社は、甲第１号証（実公平３−４３９３９号公報）、甲第２号証（実願昭５５−１７２２８号（実開昭５６−１２０４４９号）の全文明細書および図面および甲第３号証（実公平２−１２８２０号公報）を提出して、請求項１記載の本件特許発明は、甲第１号証及び甲第２号証に記載された発明に基づいて、当業者が容易に発明をすることができたものであるから、特許法第２９条第２項の規定に違反して特許されたものであり、請求項２記載の発明は、甲第１号証〜甲第３号証に記載された発明に基づいて、当業者が容易に発明をすることができたものであるから、特許法第２９条第２項の規定に違反して特許されたものであると主張している。
イ．異議申立人株式会社共立は、甲第１号証（実願昭５３−６２１６号（実開昭５４−１６４２４０号）の全文明細書および図面）、甲第２号証（特開平６１−１７０３０９号公報）、甲第３号証（実公昭５４−３１９４５号公報）および甲第４号証（昭和４５年７月２０日　森北出版（株）発行「機械工学通論」第６８ページ乃至６９ページ写し）を提出し、請求項１及び請求項３に係る本件特許発明は、甲第１号証乃至甲第４号証に基づき、当業者が容易に発明をすることができたものであるから、特許法第２９条第２項の規定に違反して特許されたものであると主張している。
（対比・判断）　  
ア．異議申立人富士ロビン株式会社の異議申立てについて
　甲第１号証および甲第２号証は、当審で取消理由で引用した引用例１および引用例２であり、甲第１号証および甲第２号証の記載事項は、上記２．（３）（引用例）で述べたものと同様である。
　甲第３号証には、「前記パイプ４のエンジン部１方向の端部をテーパー状とすることは、振動に対する短パイプ４の応力を分散して強度を保持し、防振のためにもきわめて有用である。」（公報第２頁第４欄２７行〜同欄３０行）と記載されている。
　そこで、検討すると、本件発明は、訂正明細書の請求項１に記載された事項により特定されるとおりのものであり、上記２．（３）（対比・判断）で述べた理由と同様の理由より、甲第１号証および甲第２号証に記載された発明に基づいて当業者が容易に発明をすることができたものではない。
　また、甲第３号証には、刈払機において短パイプ４のエンジン部１方向の端部をテーパー状にして防振をする技術が記載されているが、甲第３号証には、本件発明の「パイプシャフトへの取付部に、前記取付具の取付長よりも全長が長い補強スペーサを取り付けて前記パイプシャフトを覆い、この補強スペーサの上から前記取付具を介して前記ハンドルを取り付け、」の構成が記載されていないものと認める。
  したがって、本件発明は、甲第１号証乃至甲第３号証に記載された発明に基づいて当業者が容易に発明をすることができたものではない。
　よって、異議申立人の主張は採用しない。
イ．異議申立人株式会社共立の異議申立について
　甲第１号証には、「図面において、１は刈払機主管、２は該主管の外径よりやや大きい内径を有し・・・締付金具３を介してハンドル４を固着した鞘管で該鞘管２を主管１にこれと接触しないようにその間に間隙部５を保持させて嵌合する。」（明細書第２頁１１行〜同頁１５行）と記載されている。
　甲第２号証には、「携帯用刈払い機において、炭素繊維複合材料を主成分とする動力伝達支持パイプを使用する」（公報第１頁左下欄７行〜同欄９行）と記載されている。
　甲第３号証には、「Ａは中空パイプ６を主管１に取付けるために使用する金具・・・両受座９，１１間に前記中空パイプを差込むとともに該中空パイプ外側にもフランジ部１２を形成させ、該フランジ部１２を両受座９，１１の各嵌合部外側間に差込んでねじ１３で共締めするようになっている。」（公報第１頁右欄１９行〜同欄２９行）と記載されている。
　甲第４号証には、第６８頁〜第６９頁において「２）座金」の技術的説明
が記載されている。
　本件発明と、甲第１号証乃至甲第４号証に記載された発明とを対比すると、甲第１号証乃至甲第４号証に記載された発明のいずれにも、上記２．（３）（対比・判断）で述べた本件発明の特定事項である「補強スペーサの上から前記取付具を介して前記ハンドルを取り付け、前記補強スペーサが小判型の板状体をその幅方向に前記パイプシャフトの曲率で湾曲させて形成したものであり、少なくとも２枚の小判型を隣接させて前記取付具の前記パイプシャフトへの取付部位を包囲した」の構成を備えておらず、また、前記構成を示唆する記載も認められない。
  よって、異議申立人の主張は採用しない。
４．むすび
　以上のとおりであるから、特許異議申立ての理由および証拠によっては、本件請求項１に係る特許を取り消すことはできない。
　また、他に本件請求項１に係る特許を取り消すべき理由を発見しない。
　したがって、本件請求項１に係る特許は拒絶の査定をしなければならない特許出願に対してされたものとは認めない。
　よって、特許法等の一部を改正する法律（平成６年法律第１１６号）附則第１４条の規定に基づく、特許法等の一部を改正する法律の一部の施行に伴う経過措置を定める政令（平成７年政令第２０５号）第４条第１項及び第２項の規定により、上記のとおり決定する。
【異議決定日】
平成１２年７月１２日（２０００．７．１２）
【訂正の要旨】
（１）訂正の要旨
訂正事項ａ
　特許請求の範囲を以下のとおり訂正する。
「【請求項１】パイプシャフトの一端にエンジンが取り付けられ、他端に刈刃ユニットが取り付けられ、前記刈刃ユニットは前記パイプシャフト内に設けられた回転軸を介して前記エンジンによって駆動され、前記パイプシャフトの所定部位には取付具を介してこのパイプシャフトと直交する方向にハンドルが取り付けられる刈払機において、前記パイプシャフトをカーボンファイバで形成すると共に、前記取付具の前記カーボンファイバ製のパイプシャフトヘの取付部に、前記取付具の取付長よりも全長が長い補強スペーサを取り付けて前記パイプシャフトを覆い、この補強スペーサの上から前記取付具を介して前記ハンドルを取り付け、前記補強スペーサが小判型の板状体をその幅方向に前記パイプシャフトの曲率で湾曲させて形成したものであり、少なくとも２枚の小判型スペーサを隣接させて前記取付具の前記パイプシャフトヘの取付部位を包囲したことを特徴とする刈払機。」
訂正事項ｂ
　特許明細書の段落番号【０００２】、【０００５】を以下のとおり訂正する。
「【０００２】
　【従来の技術】
　従来、草、芝等を刈払いする際に使用される刈払機９は、図４（ａ）に示すように、アルミニウム等の金属製のパイプシャフト１（以後アウタパイプ１という）の一端にエンジン２が取り付けられ、このエンジン２に駆動された回転する回転軸（インナシャフト）がアウタパイプ１の中を通って他端に取り付けられた刈刃ユニット３の回転刃３１を回転させるようになっている。そして、この刈払機９には、アウタパイプ１の中間の所定部分に取付具であるハンドルブラケット４を介してハンドル５が取り付けられており、作業者はこのハンドル５の端部を両手で保持して草刈り等の作業を行うようになっている。図４（ａ）に示す例ではハンドル５はアウタパイプ１に対して直交する方向に両側に突出して設けられており、このハンドル５は途中で上方に曲げられて持ちやすい形状となっている。
　【０００５】
　即ち、図４（ｂ）に示すように、ハンドルブラケット４のアウタパイプ１への接触端部（角部）において発生したエンジン２や回転刃３１の振動による応力により、アウタパイプ１のハンドルブラケット４との境界部分に、符号Ｃで示す亀裂が発生し、アウタパイプ１のこの部分が弱くなって、刈払い作業中にカーボンファイバ製のアウタパイプ１のこの亀裂部分が折れ易くなる恐れがあった。
訂正事項ｃ
　特許明細書の以下の段落番号の記載を削除する。
　【０００９】，【００１０】，【００１２】，【００２６】，【００２７】，【００２８】，【００２９】
訂正事項ｄ
　【図面の簡単な説明】の記載を以下のとおり訂正する。
「【図面の簡単な説明】
　【図１】
（ａ）は本発明の刈払機の第１の形態における一実施例の構成を示す組立斜視図、（ｂ）は（ａ）で使用する小判型スペーサの展開図である。
　【図２】
（ａ）は図１（ａ）に示した刈払機を組み立てた状態の取付具（ハンドルブラケット）部の平面図、（ｂ）は（ａ）のＢ−Ｂ線における断面図である。
　【図３】
（ａ）は本発明の刈払機の第１の形態における別の実施例の構成を説明する部分断面図で、補強スペーサの別の取り付け方を説明する図、（ｂ）は（ａ）のように補強スペーサを取り付けた場合の図２（ｂ）と同じ部位の断面図である。
　【図４】
（ａ）は従来の刈払機の構成を示す斜視図、（ｂ）は従来の刈払機の問題点を説明する（ａ）の部分拡大斜視図である。」
訂正事項ｅ
「図２の上方の図中（ａ）の符号を追加記載した図２に変更する。
　請求項３と４とを削除したため、当該請求項に係る図４を削除する。
　図４を削除したため、図５を繰上げ次の図４に変更する。」
（５４）【発明の名称】
刈払機
（５７）【特許請求の範囲】
　　【請求項１】　パイプシャフトの一端にエンジンが取り付けられ、他端に刈刃ユニットが取り付けられ、前記刈刃ユニットは前記パイプシャフト内に設けられた回転軸を介して前記エンジンによって駆動され、前記パイプシャフトの所定部位には取付具を介してこのパイプシャフトと直交する方向にハンドルが取り付けられる刈払機において、
　前記パイプシャフトをカーボンファイバで形成すると共に、
　前記取付具の前記カーボンファイバ製のパイプシャフトヘの取付部に、前記取付具の取付長よりも全長が長い補強スペーサを取り付けて前記パイプシャフトを覆い、
　この補強スペーサの上から前記取付具を介して前記ハンドルを取り付け
　前記補強スペーサが小判型の板状体をその幅方向に前記パイプシャフトの曲率で湾曲させて形成したものであり、少なくとも２枚の小判型スペーサを隣接させて前記取付具の前記パイプシャフトヘの取付部位を包囲したことを特徴とする刈払機。
【発明の詳細な説明】
　　　【０００１】
　　【産業上の利用分野】
　本発明は刈払機に関し、特に、パイプシャフトがカーボンファイバで構成される刈払機におけるパイプシャフトの破損を防止した刈払機に関する。
　　　【０００２】
　　【従来の技術】
　従来、草、芝等を刈払いする際に使用される刈払機９は、図４（ａ）に示すように、アルミニウム等の金属製のパイプシャフト１（以後アウタパイプ１という）の一端にエンジン２が取り付けられ、このエンジン２に駆動された回転する回転軸（インナシャフト）がアウタパイプ１の中を通って他端に取り付けられた刈刃ユニット３の回転刃３１を回転させるようになっている。そして、この刈払機９には、アウタパイプ１の中間の所定部分に取付具であるハンドルブラケット４を介してハンドル５が取り付けられており、作業者はこのハンドル５の端部を両手で保持して草刈り等の作業を行うようになっている。図４（ａ）に示す例ではハンドル５はアウタパイプ１に対して直交する方向に両側に突出して設けられており、このハンドル５は途中で上方に曲げられて持ちやすい形状となっている。
　　　【０００３】
　ところで、近年、刈払機において更にその軽量化を計るために、金属製のアウタパイプに代わってカーボンファイバ製のアウタパイプが採用したものが実用化されてきた。
　　　【０００４】
　　【発明が解決しようとする課題】
　しかしながら、このカーボンファイバ製のアウタパイプ１に、ハンドル５を取り付けた場合、従来のアルミニウム製のアウタパイプ１と同じ形状のハンドルブラケット４を用いると、カーボンファイバ製のアウタパイプ１はアルミニウム製のアウタパイプ１に比べて弾性に乏しいため、長期間の使用により、エンジン２や回転刃３１の振動による応力がハンドルブラケット４のアウタパイプ１への接触端部で発生し、アウタパイプ１に亀裂が入って刈払い作業中にカーボンファイバ製のアウタパイプ１がハンドルブラケット４の取付部で折れ易くなる恐れがあるという問題点があった。
　　　【０００５】
　即ち、図４（ｂ）に示すように、ハンドルブラケット４のアウタパイプ１への接触端部（角部）において発生したエンジン２や回転刃３１の振動による応力により、アウタパイプ１のハンドルブラケット４との境界部分に、符号Ｃで示す亀裂が発生し、アウタパイプ１のこの部分が弱くなって、刈払い作業中にカーボンファイバ製のアウタパイプ１のこの亀裂部分が折れ易くなる恐れがあった。
　　　【０００６】
　そこで、本発明は、カーボンファイバ製のアウタパイプを使用した刈払機において、長期間の使用によってもカーボンファイバ製のアウタパイプがハンドルブラケットの取付部で折れる恐れのない刈払機を提供することを目的とする。
　　　【０００７】
　　【課題を解決するための手段】
　前記目的を達成する本発明の第１の形態の刈払機は、パイプシャフトの一端にエンジンが取り付けられ、他端に刈刃ユニットが取り付けられ、前記刈刃ユニットは前記パイプシャフト内に設けられた回転軸を介して前記エンジンによって駆動され、前記パイプシャフトの所定部位には取付具を介してこのパイプシャフトと直交する方向にハンドルが取り付けられる刈払機において、前記パイプシャフトをカーボンファイバで形成すると共に、前記取付具の前記カーボンファイバ製のパイプシャフトヘの取付部に、前記取付具の取付長よりも全長が長い補強スペーサを取り付けて前記パイプシャフトを覆い、この補強スペーサの上から前記取付具を介して前記ハンドルを取り付けたことを特徴としている。
　　　【０００８】
　なお、この場合、前記補強スペーサが小判型の板状体をその幅方向にパイプシャフトの曲率で湾曲させて形成し、少なくとも２枚の小判型スペーサを隣接させて前記取付具の前記パイプシャフトヘの取付部位を包囲するようにすれば良い。
　　　【０００９】
　　　【００１０】
　　　【００１１】
　　【作用】
　本発明の第１の形態の刈払機によれば、取付具のパイプシャフトヘの取付部位に、まず、ハンドルの取付具の全長よりも長く、両端部が円弧状の小判型の補強スペーサが、パイプシャフトを覆うように複数枚並べて取り付けられ、この補強スペーサの上にハンドルの取付具が取り付けられるので、エンジンや回転刃の振動による局部的な応力がカーボンファイバ製のパイプシャフトに及ぶことが緩和され、カーボンファイバ製のパイプシャフトが折れにくくなる。
　　　【００１２】
　　　【００１３】
　　【実施例】
　以下添付図面を用いて本発明の実施例を詳細に説明する。
　　　【００１４】
　図１（ａ）は本発明の刈払機１０の第１の形態における一実施例の構成を示す組立斜視図であり、図５で説明した従来の刈払機９と同じ構成部材には同じ符号を付してある。
　　　【００１５】
　本発明の刈払機１０においても、図５で説明した従来の刈払機９と同様に、パイプシャフトを構成するアウタパイプ１の一端にエンジン２が取り付けられ、他端に刈刃ユニット３が取り付けられている。そして、刈刃ユニット３は、アウタパイプ１内に設けられた回転軸８を介してエンジン２によって駆動されるようになっている。また、アウタパイプ１の所定部位には取付具を構成するハンドルブラケット４を介してこのアウタパイプ１と直交する方向にハンドル５が取り付けられている。
　　　【００１６】
　ハンドルブラケット４は、上部ブラケット４１、中間ブラケット４２、及び下部ブラケット４３から構成されており、上部ブラケット４１と中間ブラケット４２との間にハンドル５が挟まれてボルト４４で固定され、中間ブラケット４２と下部ブラケット４３との間にアウタパイプ１が挟まれてボルト４５で固定されるようになっている。
　　　【００１７】
　そして、この実施例の中空のアウタパイプ１は、カーボンファイバで形成されている。
　　　【００１８】
　このような刈払機１０において、この実施例では、ハンドルブラケット４のカーボンファイバ製のアウタパイプ１への取付部に、ハンドルブラケット４の取付長よりも全長が長い補強スペーサ６を取り付け、アウタパイプ１の外周部をこの補強スペーサ６で覆う。
　　　【００１９】
　この補強スペーサ６は、この実施例では図１（ｂ）に示すように、アウタパイプ１の外周部の長さの半分の長さを幅Ｗとして持つ小判型に打ち抜いたアルミニウム板を２枚用意し、この２枚のアルミニウム板６を、その幅Ｗ方向にアウタパイプ１の外周部の曲率と同じ曲率で湾曲させたものである。
　　　【００２０】
　そして、この補強スペーサ６の上からハンドルブラケット４の中間ブラケット４２と下部ブラケット４３を取り付け、ボルト４５で締結してハンドル５を取り付ける。
　　　【００２１】
　なお、図中８は回転軸を示している。
　　　【００２２】
　図２（ａ）は図１（ａ）に示した実施例の刈払機１０を組み立てた状態のハンドルブラケット４の取付部の平面図であり、図２（ｂ）は図２（ａ）のＢ−Ｂ線における断面図である。これらの図から分かるように、ハンドルブラケット４とアウタパイプ１との接続部は、ハンドルブラケット４の取付長よりも長い補強スペーサ６を介して接続されるので、ハンドルブラケット４の角部に応力が発生しても、この応力は補強スペーサ６によって分散されてアウタパイプ１に伝えられることになり、アウタパイプ１には大きな応力が加わらない。また、補強スペーサ６の自由端部は滑らかな曲線で形成されているので、補強スペーサ６とアウタパイプ１との当たりが滑らかになると共に、アウタパイプ１の同じ部位の外周部に応力が加わらないので、アウタパイプ１に亀裂が発生しにくい。
　　　【００２３】
　以上説明した実施例では、アウタパイプ１を２枚の補強スペーサ６で包囲しているが、アウタパイプ１を包囲する補強スペーサ６の枚数は２枚に限定されるものではなく、３枚以上の補強スペーサ６を隣接させても良い。
　　　【００２４】
　図３（ａ）は本発明の刈払機の第１の形態における別の実施例の構成を説明する部分断面図であり、アウタパイプ１の外周部に３枚の補強スペーサ６を取り付けた例を説明するものである。そして、図３（ｂ）は図３（ａ）のようにアウタパイプ１の外周部に３枚の補強スペーサ６を取り付けた場合の図２（ｂ）と同じ部位の断面図である。
　　　【００２５】
　図３（ｂ）に示す実施例では、補強スペーサ６の枚数を増やしたことにより、補強スペーサ６が２枚の場合よりも補強スペーサ６の両端部がアウタパイプ１と接触する長さが図３（ａ）に示した実施例よりも長いので、ハンドルブラケット４に加わった応力のアウタパイプ１への伝達が一層分散され、アウタパイプ１が破損しにくくなる。
　　　【００２６】
　　　【００２７】
　　　【００２８】
　　　【００２９】
　　　【００３０】
　　【発明の効果】
　以上説明したように、本発明によれば、カーボンファイバ製のパイプシャフト（アウタパイプ）を使用した刈払機において、長期間の使用によってもカーボンファイバ製のパイプシャフト（アウタパイプ）が取付具（ハンドルブラケット）の取付部で折れる恐れがなく、刈払機の信頼性、耐久性が向上するという効果がある。
【図面の簡単な説明】
　　【図１】
　（ａ）は本発明の刈払機の第１の形態における一実施例の構成を示す組立斜視図、（ｂ）は（ａ）で使用する小判型スペーサの展開図である。
　　【図２】
　（ａ）は図１（ａ）に示した刈払機を組み立てた状態の取付具（ハンドルブラケット）部の平面図、（ｂ）は（ａ）のＢ−Ｂ線における断面図である。
　　【図３】
　（ａ）は本発明の刈払機の第１の形態における別の実施例の構成を説明する部分断面図で、補強スペーサの別の取り付け方を説明する図、（ｂ）は（ａ）のように補強スペーサを取り付けた場合の図２（ｂ）と同じ部位の断面図である。
　　【図４】
　（ａ）は従来の刈払機の構成を示す斜視図、（ｂ）は従来の刈払機の問題点を説明する（ａ）の部分拡大斜視図である。
　　【符号の説明】
　１　パイプシャフト（アウタパイプ）
　２　エンジン
　３　刈刃ユニット
　４　取付具（ハンドルブラケット）
　５　ハンドル
　６　補強スペーサ
　７　鍔部
　９　従来の刈払機
　１０　本発明の刈払機
　４１　上部ブラケット
　４２　中間ブラケット
　４３　下部ブラケット
【図面】